(57)【特許請求の範囲】
【請求項１】
バンド部とこのバンド部の根元に設けられたヘッド部とを備え、上記バンド部に、外面がこのバンド部の根元側に向かって上り勾配になった多数の係止部が並べて配備され、上記ヘッド部に、先端面が上記係止部の端面に対する噛合面に形成された複数の弾性を備えた爪片を環状に配列してなる爪片群が設けられ、その爪片群によって囲まれた空間が上記バンド部の挿通空間として形成されている合成樹脂製封緘具であって、
上記バンド部に、断面積がそのバンド部の断面積よりも小さい括れ形状の弱点部が具備され、この弱点部は、当該封緘具の実使用時に上記バンド部が曲がったときにその弱点部を挟む両側の上記バンド部の端部同士が当たらない長さを有している合成樹脂製封緘具。
【請求項２】
上記弱点部を挟む両側で上記バンド部が偏平に形成されていると共に、上記弱点部は、その厚さが偏平な上記バンド部の厚さと同一でその幅が偏平な上記バンド部よりも狭くなっている請求項１に記載した合成樹脂製封緘具。
【発明の詳細な説明】
【０００１】
【発明の属する技術分野】
本発明は、合成樹脂製封緘具、詳しくは本来の封緘機能を確実に発揮させることができるような対策が講じられた合成樹脂製封緘具に関する。
【０００２】
【従来の技術】
図１１に従来の合成樹脂製封緘具を示してある。この封緘具は合成樹脂の一体成形体でなる。封緘具は断面円形のバンド部１を有し、このバンド部１は、並べて配備された多数の係止部３…を有していると共に、その先端部には細い先行ガイド部１２が備わっており、その先行ガイド部１２には、手の指でその先行ガイド部１２を引張るときの便宜のために滑り止め用の膨出部１３がリング状に備わっている。また、バンド部１の根元に設けられた筒状のヘッド部２の内部には、図１１と図１３とによって判るように、３つの爪片４１を環状に配列してなる爪片群４が設けられている。
【０００３】
このような合成樹脂製封緘具において、図１２のようにバンド部１をループ状に撓ませてその先行ガイド部１２を矢符ａのようにヘッド部２に挿入すると、図１３のように、先行する係止部３が上記爪片群４をすり抜けて挿入される。そして、バンド部１が同図の矢符ｂのようにヘッド部２からの引抜き方向に引張られたときには、爪片群４をすり抜けている所定の係止部３がその爪片群４に噛合してその引抜きが阻止され、本来の封緘機能が発揮される。
【０００４】
【発明が解決しようとする課題】
この合成樹脂製封緘具で荷物を封緘している通常の実使用時には、衝撃力や折曲力が加わってもバンド部１が破断したり係止部３と爪片群４との噛合状態が解かれたりすることはない。しかし、バンド部１が大きな力で故意に引抜き方向に引張られたりしたときには、爪片群４に係止部３が非常に強く押しつけられてその爪片群４を形成している個々の爪片４１の先端が圧潰したり変形したりしてそれらの噛合状態が強制的に解かれて封緘機能の損なわれることがあり得る。
【０００５】
したがって、このことを悪用して、荷物などに取り付けられた封緘具のバンド部１を大きな力で故意に引張ることによってその封緘機能を損なわせた後、その封緘具を荷物から取り外してその内容物を抜き出し、その後にバンド部１をヘッド部２に再び挿入して封緘が行われているように見せかけるといった不正行為の行われるおそれがある。
【０００６】
本発明は以上の事態に鑑みてなされたものであり、ヘッド部に挿入されているバンド部が大きな力で故意に引抜き方向に引張られたりしたときに、爪片群を形成している個々の爪片の先端の圧潰や変形によって封緘機能が損なわれてしまう前に、バンド部自体が破断されるようにして上述したような不正行為が行われないようにすることのできる合成樹脂製封緘具を提供することを目的とする。
【０００７】
【課題を解決するための手段】
請求項１に係る発明の合成樹脂製封緘具は、バンド部とこのバンド部の根元に設けられたヘッド部とを備え、上記バンド部に、外面がこのバンド部の根元側に向かって上り勾配になった多数の係止部が並べて配備され、上記ヘッド部に、先端面が上記係止部の端面に対する噛合面に形成された複数の弾性を備えた爪片を環状に配列してなる爪片群が設けられ、その爪片群によって囲まれた空間が上記バンド部の挿通空間として形成されている合成樹脂製封緘具であって、上記バンド部に、断面積がそのバンド部の断面積よりも小さい括れ形状の弱点部が具備され、この弱点部は、当該封緘具の実使用時に上記バンド部が曲がったときにその弱点部を挟む両側の上記バンド部の端部同士が当たらない長さを有している、というものである。
【０００８】
この発明の合成樹脂製封緘具において、バンド部をループ状に撓ませてヘッド部に設けられている爪片群の挿通空間に挿入すると、先行する係止部が爪片群をすり抜けて挿入される。そして、バンド部が引抜き方向に引張られたときには、爪片群をすり抜けている所定の係止部がその爪片群に噛合してその引抜きが阻止され、本来の封緘機能が発揮される。
【０００９】
この合成樹脂製封緘具で荷物を封緘している通常の実使用時には、衝撃力や折曲力が加わってもバンド部が破断したり係止部と爪片群との噛合状態が解かれたりすることはない。この点は冒頭で説明した従来の合成樹脂製封緘具と同様である。また、バンド部が大きな力で故意に引抜き方向に引張られたりしたときには、爪片群を形成している個々の爪片の先端の圧潰や変形によって封緘機能が損なわれてしまう前に、バンド部の括れ形状の弱点部に大きな引張力が集中してその弱点部が延伸された後引きちぎられる。そのため、荷物などに取り付けられた合成樹脂製封緘具のバンド部を大きな力で故意に引張ることによってその封緘機能を損なわせた後、その合成樹脂製封緘具を荷物から取り外してその内容物を抜き出し、その後にバンド部をヘッド部に再び挿入して封緘されているように見せかけるといった不正行為の行われるおそれがなくなる。
【００１０】
特に本発明では、上記弱点部が、当該封緘具の実使用時に上記バンド部が曲がったときにその弱点部を挟む両側の上記バンド部の端部同士が当たらない長さを有している。このため、バンド部を半径のきわめて小さなループ状に撓ませるような使用が行われていて、そのような通常の使用中に衝撃や折曲力がバンド部に加わったとしても、弱点部の両側のバンド部の端部同士が当たってその当接箇所を支点とする大きな引張力が弱点部に加わるといった事態が起こらなくなり、そのことが、通常の使用時でのバンド部の破断を防ぐことに役立つ。
【００１１】
請求項２に係る発明の合成樹脂製封緘具は、請求項１に記載したものにおいて、上記弱点部を挟む両側で上記バンド部が偏平に形成されていると共に、上記弱点部は、その厚さが偏平な上記バンド部の厚さと同一でその幅が偏平な上記バンド部よりも狭くなっている、というものであり、この発明によって、上記弱点部の構成がより具体化される。
【００１２】
【発明の実施の形態】
図１は本発明に係る合成樹脂製封緘具を一部省略した示した概略平面図、図２は同合成樹脂製封緘具を一部省略した示した概略側面図、図３は使用手順説明図、図４は使用状態説明図、図５は封緘作用を説明するための断面図、図６は図１の要部を拡大した平面図、図７は図６のＶＩＩ−ＶＩＩ線に沿う断面図、図８は比較例に係る合成樹脂製封緘具の要部平面図、図９は比較例に係る合成樹脂製封緘具の要部側面図、図１０は比較例に係る合成樹脂製封緘具の欠点を説明するための要部平面図である。
【００１３】
図１及び図２に示した合成樹脂製封緘具は、たとえばナイロン６６やポリプロピレンを用いて一体成形され、これらの合成樹脂を用いると、バンド部１が大きな力で引張られてもそのバンド部１が延伸するだけで容易に引きちぎられてしまうという事態が起こりにくい。
【００１４】
図１及び図２のように、バンド部１の根元部分１４に板片状の表示札１５が連設されており、この表示札１５に名前などを表示することができるようになっている。また、バンド部１は、その先端部に細い先行ガイド部１２を有している。さらに、バンド部１は、その根元部分１４と先行ガイド部１２との間の部分が断面円形に形成されていて、その部分に断面円形の多数の係止部３…が等間隔おきに並べて配備されている。これらの係止部３…のそれぞれは、その外面がバンド部１の根元側に向かって上り勾配になっている。そして、上記先行ガイド部１２には、手の指でその先行ガイド部１２を引張るときの便宜のために２条の滑り止め用の膨出部１３がリング状に備わっていると共に、それらの膨出部１３に並べてその先行ガイド部１２の全周囲に張り出したフランジでなる逆挿入防止部５が備わっている。逆挿入防止部５は、バンド部１がヘッド部２に逆向きに挿入されることを防ぐ役割を持っており、このような逆挿入防止部５の役割によって、当初は逆挿入により見掛けの上で封緘が行われているに過ぎない形で合成樹脂製封緘具を荷物などに取り付けておき、事後的にバンド部１をヘッド部２から引き抜いて合成樹脂製封緘具を取り外すことにより荷物などの内容物を抜き出し、その後にバンド部１をヘッド部２に順方向に挿入して本来の封緘機能が発揮されるようにしておくといった不正行為の行われるおそれをなくすることに役立つ。
【００１５】
バンド部１の根元には、上記表示札１５の端部近傍箇所から突出されたヘッド部２が設けられている。このヘッド部２は筒状で、その内部に爪片群４を有している。図５や図６で判るように、爪片群４は４つの弾性を備えた爪片４１を等角度おきの環状に配列してなり、それぞれの爪片４１は、その根元部４１ａだけがヘッド部２に連設されてそのヘッド部２から立ち上がった形に形成されている。また、４つの爪片４１…によって形成されている爪片群４によって囲まれた空間は、爪片群４の先端側に近付くほど径小になっており、この空間が、バンド部１を挿通させるための挿通空間２１として形成されている（図６参照）。さらに、それぞれの爪片４１の先端面は上記したバンド部１の係止部３の端面３１（図１０参照）に対する噛合面４３として形成されている。
【００１６】
次に、バンド部１の根元部分１４には、断面積がそのバンド部１の断面積よりも小さい括れ形状の弱点部６が具備されている。この弱点部６は、図６に仮想線で示したように、合成樹脂製封緘具の実使用時にバンド部１が曲がったときにその弱点部６を挟む両側のバンド部の端部１ａ，１ｂ同士が当たらない長さを有している。また、この実施形態においては、図６や図７で判るように、バンド部１が、弱点部６を挟む両側で偏平に形成されていると共に、その弱点部６は、その厚さが偏平なバンド部１の厚さと同一でその幅が偏平なバンド部１よりも狭くなっている。このような括れ形状の弱点部６がバンド部１の根元部分１４に設けられていると、バンド部１に大きな引張力が加えられたときには、その弱点部６に力が集中してその弱点部６が延伸され、引張力が一定以上に大きいときには延伸後に引きちぎられる。
【００１７】
以上説明した合成樹脂製封緘具において、図３のようにバンド部１をループ状に撓ませてその先行ガイド部１２をヘッド部２の頂部２ａ側から矢符ａのようにその内側に挿入すると、最初に逆挿入防止部５が爪片群４を押し拡げながらその爪片群４によって囲まれた挿通空間２１をすり抜けた後、係止部３が同様に爪片群４を押し拡げながら挿通空間２１をすり抜けて図５に示した形になる。この形では、バンド部１がヘッド部２からの引抜き方向ｂに引張られたときに、爪片群４をすり抜けている所定の係止部３の端面３１が爪片群４を形成している個々の爪片４１の噛合面４３に噛合してその引抜きが阻止される。これにより、本来の封緘機能が発揮される。したがって、図４のようにバンド部１を荷物の例示でなる箱体１００とその箱体１００の蓋１１０との両方に亘って配設しておくと、合成樹脂製封緘具を取り外さない限り蓋１１０を開けることができなくなって、箱体１００に収容されている内容物が不正に抜き取られるといった事態が防止される。
【００１８】
ところで、この合成樹脂製封緘具で荷物を封緘している通常の実使用時には、衝撃力や折曲力が加わってもバンド部１やそのバンド部１に設けられている弱点部６が破断したり、図５で説明したような係止部３と爪片群４との噛合状態が解かれたりすることはない。また、バンド部１が大きな力で故意に引抜き方向ｂに引張られたりしたときには、爪片群４を形成している個々の爪片４１の先端の圧潰や変形によって封緘機能が損なわれてしまう前に、バンド部１の括れ形状の弱点部６に大きな引張力が集中してその弱点部６が延伸された後に引きちぎられる。そのため、荷物などに取り付けられた合成樹脂製封緘具のバンド部１を大きな力で故意に引張ることによってその封緘機能を損なわせた後、その合成樹脂製封緘具を荷物から取り外してその内容物を抜き出し、その後にバンド部１をヘッド部２に再び挿入して封緘されているように見せかけるといった不正行為の行われるおそれはない。
【００１９】
特に上記弱点部６は、合成樹脂製封緘具の実使用時にバンド部１が曲がったときにその弱点部を挟む両側のバンド部１の端部１ａ，１ｂ同士が当たらない長さを有しているので、バンド部１を半径のきわめて小さなループ状に撓ませるような使用が行われていて、そのような通常の使用中に衝撃や折曲力がバンド部１に加わったとしても、弱点部６の両側のバンド部１の端部１ａ，１ｂ同士が当たってその当接箇所を支点とする大きな引張力が弱点部６に加わるといった事態が起こらなくなり、そのことが、通常の使用時でのバンド部１の破断を防ぐことに役立つ。この点に関し、たとえば図８や図９のように弱点部６Ａが短くてその両側のバンド部１の端部１ａ，１ｂが接近していると、実使用時にバンド部１が曲がると、その曲り角度が小さくても、図１０のように弱点部６を挟む両側のバンド部１の端部１ａ，１ｂ同士が当たり、その当接箇所イを支点とする大きな引張力が弱点部６Ａに加わり、その弱点部６Ａが延伸されて引きちぎられるという事態が起こりやすく、そのようにして弱点部６Ａが引きちぎられてしまうと、通常の使用時であるにもかかわらず、本来の封緘機能が損なわれてしまうことになる。
【００２０】
【発明の効果】
本発明によれば、ヘッド部に挿入されているバンド部が大きな力で故意に引抜き方向に引張られたりしたときに、爪片群を形成している個々の爪片の先端の圧潰や変形によって封緘機能が損なわれてしまう前に、バンド部自体が破断されて再びそのバンド部をヘッド部に挿入して封緘されているように見せかけることができなくなるので、冒頭で説明したような不正行為を行うことができなくなる。それにもかかわらず、通常の使用時にバンド部に衝撃や折曲力が加わっても、そのバンド部が破断されるといった事態が起こりにくいので、封緘機能が確実に発揮される。
【図面の簡単な説明】
【図１】本発明に係る合成樹脂製封緘具を一部省略した示した概略平面図である。
【図２】同合成樹脂製封緘具を一部省略した示した概略側面図である。
【図３】使用手順説明図である。
【図４】使用状態説明図である。
【図５】封緘作用を説明するための断面図である。
【図６】図１の要部を拡大した平面図である。
【図７】図６のＶＩＩ−ＶＩＩ線に沿う断面図である。
【図８】比較例に係る合成樹脂製封緘具の要部平面図である。
【図９】比較例に係る合成樹脂製封緘具の要部側面図である。
【図１０】比較例に係る合成樹脂製封緘具の欠点を説明するための要部平面図である。
【図１１】従来の合成樹脂製封緘具を一部省略して示した概略平面図である。
【図１２】従来の合成樹脂製封緘具の使用手順説明図である。
【図１３】従来の合成樹脂製封緘具の封緘作用を説明するための断面図である。
【符号の説明】
１  バンド部
１ａ，１ｂ  弱点部を挟む両側のバンド部の端部
２  ヘッド部
３  係止部
４  爪片群
６  弱点部
２１  挿通空間
３１  係止部の端面
４１  爪片
４３  噛合面
【図１】
0003605509.tif 000002
【図２】
0003605509.tif 000003
【図３】
0003605509.tif 000004
【図４】
0003605509.tif 000005
【図５】
0003605509.tif 000006
【図６】
0003605509.tif 000007
【図７】
0003605509.tif 000008
【図８】
0003605509.tif 000009
【図９】
0003605509.tif 000010
【図１０】
0003605509.tif 000011
【図１１】
0003605509.tif 000012
【図１２】
0003605509.tif 000013
【図１３】
0003605509.tif 000014